(57)【要約】【課題】コストを低減することができる棒金収納装置および端数棒金支持体を提供する。【解決手段】壁部４２と底部４３とを有して下方に凹む上方開口形状をなし、棒金Ｂを立位状態で１カ所に複数本収納可能であって、底部４３の各１本収納領域６０の底位置に棒金Ｂの下端加締部の内側に入り込む凸状の下部係合部７１が設けられた棒金収納凹部４１と、係合凹部が設けられ該係合凹部に下部係合部７１を入り込ませて当該下部係合部７１が設けられた１本収納領域６０に配置されて、他の１本収納領域６０に設けられた棒金Ｂの倒れを規制する端数棒金支持体１０１と、を備える。【選択図】図８
2020064694.tif 000002
【特許請求の範囲】
【請求項１】
壁部と底部とを有して下方に凹む上方開口形状をなし、棒金を立位状態で１カ所に複数本収納可能な棒金収納凹部に、棒金の倒れを規制する端数棒金支持体を着脱自在に備えることを特徴とする棒金収納装置。
【請求項２】
前記端数棒金支持体は、その下面に、前記棒金収納凹部の凸状の下部係合部が入り込む係合凹部が形成されていることを特徴とする請求項１記載の棒金収納装置。
【請求項３】
前記棒金収納凹部には、棒金を立位状態で複数本収納する収納領域を確定する壁部であって、その一部に平坦な平壁面を備える側壁部が設けられ、
前記端数棒金支持体は、前記下部係合部に係合した状態で前記平壁面に当接する当接面を備えていることを特徴とする請求項２記載の棒金収納装置。
【請求項４】
前記端数棒金支持体は、前記下部係合部に係合した状態で、前記側壁部に係合する側壁係合部を有することを特徴とする請求項３記載の棒金収納装置。
【請求項５】
前記端数棒金支持体は、前記係合凹部が設けられた胴部と、該胴部の前記係合凹部とは反対側に設けられ前記胴部よりも細い棒状部とを有することを特徴とする請求項２乃至４のいずれか一項記載の棒金収納装置。
【請求項６】
前記棒状部が挿入される挿入穴を有して前記端数棒金支持体が載置される支持体保管部が、設けられていることを特徴とする請求項５記載の棒金収納装置。
【請求項７】
前記下部係合部には、係合する棒金を検出する棒金検出センサが設けられていることを特徴とする請求項２乃至６のいずれか一項記載の棒金収納装置。
【発明の詳細な説明】
【技術分野】
【０００１】
本発明は、棒金を収納する棒金収納装置に関する。
【背景技術】
【０００２】
現金管理装置本体から引き出し可能に設けられた複数の収納庫に現金を収納し、現金の入出庫を行う現金管理装置がある（例えば特許文献１参照）。この現金管理装置には、複数の収納庫の中に棒金用の収納庫が設けられている。棒金用の収納庫では、満杯で棒金を１０本収納できる棒金トレイと、満杯にできない１０本未満の端数の棒金を収納できる棒金トレイとが金種別に用意されている。端数収納用の棒金トレイは、棒金の転倒防止用の補助棒を有しており、この点で、満杯収納用の棒金トレイとは異なっている。
【先行技術文献】
【特許文献】
【０００３】
【特許文献１】特開２０１３−１１８０１６号公報
【発明の概要】
【発明が解決しようとする課題】
【０００４】
上記の現金管理装置にあっては、棒金用の収納庫に複数の金種別の棒金トレイが装備されることになるが、金種別に満杯収納用と端数収納用の２種類の棒金トレイが使用されているため、コスト面で改善の余地があった。
【０００５】
本発明は、上記の点に鑑みなされたもので、コストを低減することができる棒金収納装置の提供を目的とする。
【課題を解決するための手段】
【０００６】
上記目的を達成するために、本発明に係る第１の態様は、壁部と底部とを有して下方に凹む上方開口形状をなし、棒金を立位状態で１カ所に複数本収納可能な棒金収納凹部に、棒金の倒れを規制する端数棒金支持体を着脱自在に備えることを特徴とする。
【０００７】
本発明に係る第２の態様は、上記第１の態様において、前記端数棒金支持体は、その下面に、前記棒金収納凹部の凸状の下部係合部が入り込む係合凹部が形成されていることを特徴とする。
【０００８】
本発明に係る第３の態様は、上記第２の態様において、前記棒金収納凹部には、棒金を立位状態で複数本収納する収納領域を確定する壁部であって、その一部に平坦な平壁面を備える側壁部が設けられ、前記端数棒金支持体は、前記下部係合部に係合した状態で前記平壁面に当接する当接面を備えていることを特徴とする。
【０００９】
本発明に係る第４の態様は、上記第３の態様において、前記端数棒金支持体は、前記下部係合部に係合した状態で、前記側壁部に係合する側壁係合部を有することを特徴とする。
【００１０】
本発明に係る第５の態様は、上記第２乃至第４のいずれか一態様において、前記端数棒金支持体は、前記係合凹部が設けられた胴部と、該胴部の前記係合凹部とは反対側に設けられ前記胴部よりも細い棒状部とを有することを特徴とする。
【００１１】
本発明に係る第６の態様は、上記第５の態様において、前記棒状部が挿入される挿入穴を有して前記端数棒金支持体が載置される支持体保管部が、設けられていることを特徴とする。
【００１２】
本発明に係る第７の態様は、上記第２乃至第６のいずれか一態様において、前記下部係合部には、係合する棒金を検出する棒金検出センサが設けられていることを特徴とする。
【発明の効果】
【００１３】
本発明によれば、コストを低減することができる棒金収納装置を提供することができる。
【図面の簡単な説明】
【００１４】
【図１】本発明に係る棒金収納装置の一実施形態としての現金管理装置を示す斜視図である。
【図２】本発明に係る棒金収納装置の一実施形態としての現金管理装置を示す要部の制御系ブロック図である。
【図３】本発明に係る棒金収納装置の一実施形態としての現金管理装置の棒金収納庫を示す斜視図である。
【図４】本発明に係る棒金収納装置の一実施形態としての現金管理装置の棒金トレイを示す斜視図である。
【図５】本発明に係る棒金収納装置の一実施形態としての現金管理装置の棒金トレイを示す平面図である。
【図６】本発明に係る棒金収納装置の一実施形態としての現金管理装置の棒金トレイを示す正断面図である。
【図７】本発明に係る棒金収納装置の一実施形態としての現金管理装置の端数棒金支持体を示す斜視図である。
【図８】本発明に係る棒金収納装置の一実施形態としての現金管理装置の棒金トレイおよび端数棒金支持体を示す平面図である。
【図９】本発明に係る棒金収納装置の一実施形態としての現金管理装置の棒金トレイおよび端数棒金支持体を示す側断面図である。
【図１０】本発明に係る棒金収納装置の一実施形態としての現金管理装置の端数棒金支持体を示す下面図である。
【図１１】本発明に係る棒金収納装置の一実施形態としての現金管理装置の棒金収納凹部への２本のみの棒金の収納状態を示す平面図である。
【図１２】本発明に係る棒金収納装置の一実施形態としての現金管理装置の棒金収納凹部への３本のみの棒金の収納状態を示す平面図である。
【図１３】本発明に係る棒金収納装置の一実施形態としての現金管理装置の棒金収納凹部への４本のみの棒金の収納状態を示す平面図である。
【図１４】本発明に係る棒金収納装置の一実施形態としての現金管理装置の端数棒金支持体の変形例を示す斜視図である。
【図１５】本発明に係る棒金収納装置の一実施形態としての現金管理装置の棒金トレイおよび端数棒金支持体の変形例を示す斜視図である。
【図１６】本発明に係る棒金収納装置の一実施形態としての現金管理装置の棒金トレイおよび端数棒金支持体の変形例を示す斜視図である。
【図１７】本発明に係る棒金収納装置の一実施形態としての現金管理装置の棒金収納凹部の変形例を示す平面図である。
【発明を実施するための形態】
【００１５】
本発明に係る棒金収納装置の一実施形態としての現金管理装置を図面を参照して以下に説明する。
【００１６】
図１に示す本実施形態の現金管理装置１０は、金融機関の店舗の係員側スペースに設置されて係員により取り扱われるものであり、より窓口カウンタに近い位置で使用され、主に小束紙幣および棒金を入出庫可能に収納するものである。現金管理装置１０は、キャスタ８が設けられて店舗内フロアを走行移動可能となっているが、所定の位置に設置して使用されるものであってもよい。
【００１７】
現金管理装置１０は、箱型の装置本体１１と、この装置本体１１に上下方向に複数段具体的には５段設けられた収納庫１２とを有している。これら収納庫１２は、その左右側壁に設けられた図示略のスライドレールを介して装置本体１１に対して水平方向に沿って引き出し可能に連結されている。これら収納庫１２は、前方に引き出されることで内部にアクセス可能となるように開かれ、後方に押し込まれると内部にアクセス不可となるように閉じられる。前後方向にのみ所定範囲でスライド可能となるように、各収納庫１２は装置本体１１に連結されている。現金管理装置１０において収納庫１２の引き出し方向の手前側の面が使用者側の装置前面となっている。
【００１８】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、上から２段目および３段目が小束紙幣や大束紙幣を収納する束収納庫１２（Ｂ）となっており、上から４段目および最下段が棒金を収納する棒金収納庫１２（Ｃ）となっている。勿論、収納庫１２の全体の数や、そのうちの束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。加えて、上から２段目および３段目を棒金収納庫１２（Ｃ）とし、上から４段目および最下段を束収納庫１２（Ｂ）としても良い。
【００１９】
装置本体１１の上部には、操作者によって操作入力がなされるとともに操作者に対して表示を行う操作表示部１５が設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する図２に示す音声発生部２０とを有している。
【００２０】
図１に示す装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、装置本体１１には、図２に示すように、操作表示部１５、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２１】
図３に示すように、収納庫１２は、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す束収納庫１２（Ｂ）と棒金収納庫１２（Ｃ）とで共通となっている。枠体３４は、図３に示す一対の側板部３２が図示略のスライドレールの一側に連結されており、スライドレールの他側が図１に示す装置本体１１に連結されていて、これにより装置本体１１に対して引き出し可能となっている。
【００２２】
図３に示すように、棒金収納庫１２（Ｃ）は、棒金Ｂを入出庫可能に収納するものである。棒金収納庫１２（Ｃ）は、棒金Ｂを収納可能であって上記した枠体３４に取り付けられて固定される複数の棒金トレイ３８を有している。
【００２３】
ここで、棒金トレイ３８は、いずれも予め設定された単一の収納対象金種の棒金Ｂのみが収納されるように決められている。また、左右方向における同列に配置されて前後に１列に並ぶ複数の棒金トレイ３８は、全て収納対象金種が同一金種となっている。例えば、上段の棒金収納庫１２（Ｃ）は、最も左側の前後１列の棒金トレイ３８が１円棒金収納用、その右側の前後１列の棒金トレイ３８が１０円棒金収納用、最も右側の前後１列の棒金トレイ３８が１００円棒金収納用となっており、下段の棒金収納庫１２（Ｃ）は、最も左側の前後１列の棒金トレイ３８が５円棒金収納用、その右側の前後１列の棒金トレイ３８が５０円棒金収納用、最も右側の前後１列の棒金トレイ３８が５００円棒金収納用となっている。勿論、各棒金収納庫１２（Ｃ）への収納金種は任意に設定可能であり、左右方向における同列に配置されて前後に１列に並ぶ複数の棒金トレイ３８は、必ずしも全て収納対象金種が同一金種となっていなくても良い。
【００２４】
ここで、棒金Ｂは、単一金種の硬貨を所定枚数（５０枚または２０枚）だけ中心軸線を一致させて集積してなる集積硬貨を、その外周面全体に樹脂フィルムあるいは紙からなる包装シートを所定長さ巻き付けて一体化したものであり、略円柱状をなしている。棒金トレイ３８には、棒金Ｂが中心軸線を上下方向に沿わせた立位状態で収納される。
【００２５】
図４に示すように、棒金トレイ３８は、長方形の平板状をなして水平に配置される基板部４０と、基板部４０の水平方向における内側部分に設けられて下方に凹む上方開口形状をなす２カ所の同形状の棒金収納凹部４１とを有している。棒金収納凹部４１は１カ所に棒金Ｂを立位状態で複数本、具体的には最大５本収納可能であり、よって、１つの棒金トレイ３８には、棒金Ｂが立位状態で所定の複数本である最大１０本収納可能となっている。１つの棒金トレイ３８に設けられた２カ所の棒金収納凹部４１は、前後に隣接して形成されている。
【００２６】
棒金トレイ３８は、これらの棒金収納凹部４１にその上端開口部を介して上方から棒金Ｂが挿入されることになり、これらの棒金収納凹部４１は、このように挿入された棒金Ｂを図３に示すように上方に一部突出させて収納する。
【００２７】
図５に示すように同じ１つの棒金トレイ３８に形成された前側（図５では下側）の棒金収納凹部４１と後側（図５では上側）の棒金収納凹部４１とは、予め設定された単一の収納対象金種の棒金Ｂのみが収納されることになり、同様の形状をなしている。これら前側の棒金収納凹部４１と後側の棒金収納凹部４１とは、左右方向の位置を合わせて、前後に並び、互いに平行に配置されている。以下、前後の棒金収納凹部４１の一方について説明する。
【００２８】
図４に示すように、棒金収納凹部４１は、基板部４０に直交し鉛直方向に沿う姿勢で使用される壁部４２と、壁部４２の下部を閉塞する全体として基板部４０に平行をなし水平に沿う姿勢で使用される底部４３とを有している。壁部４２は、基板部４０よりも下方向に延出しており、よって、底部４３は基板部４０よりも下方に位置している。
【００２９】
図５に示すように、壁部４２は、その前部に設けられて左右方向に延在する平板状の長壁部４５（第２側壁部）と、その後部に設けられて左右方向に延在する、長壁部４５よりも長さが短い平板状の短壁部４６（第４側壁部）と、左右両側に配置される一対の側壁部４７とを有しており、鏡面対称の枠状をなしている。一対の側壁部４７は互いに前後方向の位置を合わせている。
【００３０】
一対の側壁部４７は、前側に、棒金収納凹部４１の内側に中心を配して湾曲する、円筒を一部切り取った形状の一対の湾曲側壁部５１（第１側壁部）を有しており、後側に、棒金収納凹部４１の内側に中心を配して湾曲する、円筒を一部切り取った形状の一対の湾曲側壁部５２（第３側壁部）を有していて、これらの境界部分に一対の規制部５３を有している。つまり、棒金収納凹部４１の一対の湾曲側壁部５１には、長壁部４５とは反対側に一対の規制部５３が設けられており、一対の湾曲側壁部５２には、短壁部４６とは反対側に一対の規制部５３が設けられている。
【００３１】
一対の湾曲側壁部５１は互いに前後方向の位置を合わせており、一対の湾曲側壁部５２も互いに前後方向の位置を合わせている。一対の規制部５３も互いに前後方向の位置を合わせている。一対の湾曲側壁部５１の最大間隔は、一対の湾曲側壁部５２の最大間隔よりも広くなっており、これらの最大間隔よりも、一対の規制部５３の最小間隔の方が狭くなっている。
【００３２】
左側の側壁部４７を構成する湾曲側壁部５１，５２は、前側の湾曲側壁部５１が後側の湾曲側壁部５２よりも左側に位置するようにして連設されており、これらの境界部分に右側に突出する左側の規制部５３が設けられている。左側の湾曲側壁部５１は、円筒を一部切り取った形状の湾曲壁面５１ａ（第１壁面）を右側に有しており、左側の湾曲側壁部５２は、円筒を一部切り取った形状の湾曲壁面５２ａ（第３壁面）を右側に有している。いずれも左側の湾曲壁面５１ａと湾曲壁面５２ａとは、前側の湾曲壁面５１ａが後側の湾曲壁面５２ａよりも左側に位置するようにして連設されている。
【００３３】
右側の側壁部４７を構成する湾曲側壁部５１，５２は、前側の湾曲側壁部５１が後側の湾曲側壁部５２よりも右側に位置するようにして連設されており、これらの境界部分に左側に突出する右側の規制部５３が設けられている。右側の湾曲側壁部５１は、円筒を一部切り取った形状の湾曲壁面５１ａ（第１壁面）を左側に有しており、右側の湾曲側壁部５２は、円筒を一部切り取った形状の湾曲壁面５２ａ（第３壁面）を左側に有している。いずれも右側の湾曲壁面５１ａと湾曲壁面５２ａとは、前側の湾曲壁面５１ａが後側の湾曲壁面５２ａよりも右側に位置するようにして連設されている。
【００３４】
長壁部４５は、前側の左右一対の湾曲壁面５１ａの前端部同士を結ぶ後向きの平坦な平壁面４５ａ（第２壁面）を有しており、短壁部４６は、後側の左右一対の湾曲壁面５２ａの後端部同士を結ぶ前向きの平坦な平壁面４６ａ（第４壁面）を有している。平壁面４５ａは平壁面４６ａよりも長さが長く、これらは前後方向に直交し互いに平行をなしている。
【００３５】
棒金収納凹部４１は、上述したように予め設定された単一の収納対象金種の棒金Ｂのみが収納されることになり、湾曲壁面５１ａ，５２ａの径は、同径で、収納対象金種の棒金Ｂの外径よりも若干大径となっている。
【００３６】
互いに対向する間隔が広い前側の一対の湾曲壁面５１ａの最大間隔は、収納対象金種の棒金Ｂの直径の３倍よりも若干長くなっており、収納対象金種の棒金Ｂの直径の４倍より短くなっている。これら湾曲壁面５１ａの間に、収納対象金種の１本のみの棒金Ｂを収納する１本収納領域６０が３カ所、これら湾曲壁面５１ａを結ぶ方向に並んで１列状に設けられて３本収納領域６１を構成している。よって、棒金収納凹部４１は、間隔が広い前側の一対の湾曲壁面５１ａの間に、棒金Ｂを１列に並べて同時に３本収納可能な３本収納領域６１を有している。言い換えれば、壁部４２は、３本収納領域６１の棒金配列方向の両外側を形成する一対の湾曲側壁部５１と、３本収納領域６１の棒金配列方向に直交する方向の外側を形成する長壁部４５とを有している。一対の湾曲側壁部５１が有する一対の湾曲壁面５１ａは、３本収納領域６１の棒金配列方向の両外側にこの３本収納領域６１に臨んで設けられており、３本収納領域６１内に中心を配して湾曲している。
【００３７】
互いに対向する間隔が狭い後側の一対の湾曲壁面５２ａの最大間隔は、収納対象金種の棒金Ｂの直径の２倍よりも若干長くなっており、収納対象金種の棒金Ｂの直径の３倍より短くなっている。これら湾曲壁面５２ａの間に、収納対象金種の１本のみの棒金Ｂを収納する１本収納領域６０が２カ所、これら湾曲壁面５２ａを結ぶ方向に並んで設けられて２本収納領域６２を構成している。よって、棒金収納凹部４１は、間隔が狭い後側の一対の湾曲壁面５２ａの間に、棒金Ｂを同時に２本並べて収納可能な２本収納領域６２を有している。言い換えれば、棒金収納凹部４１は、３本収納領域６１の長壁部４５とは反対側に、３本収納領域６１と平行であって棒金を２本並べて収納する２本収納領域６２を有しており、壁部４２は、２本収納領域６２の棒金配列方向の両外側を形成する一対の湾曲側壁部５２と、２本収納領域６２の棒金配列方向に直交する方向の外側を形成する短壁部４６とを有している。一対の湾曲側壁部５２が有する一対の湾曲壁面５２ａは、２本収納領域６２の棒金配列方向の両外側にこの２本収納領域６２に臨んで設けられており、２本収納領域６２内に中心を配して湾曲している。
【００３８】
３本収納領域６１と２本収納領域６２とは、互いに平行であって、互いに棒金配列方向の中央位置を合わせている。その結果、３本収納領域６１と２本収納領域６２とは、両方の棒金配列方向の中央位置を通る鉛直面を基準に鏡面対称の形状をなしている。３本収納領域６１を構成する１本収納領域６０に対して、２本収納領域６２を構成する１本収納領域６０は棒金Ｂの半径分左右方向にずれている。３本収納領域６１と２本収納領域６２とを有する棒金収納凹部４１は、棒金Ｂを満杯状態で５本だけ平面視Ｍ字状に収納する。
【００３９】
長壁部４５は、３本収納領域６１の２本収納領域６２とは反対側に配置され、短壁部４６は、２本収納領域６２の３本収納領域６１とは反対側に配置され、一対の側壁部４７は、３本収納領域６１および２本収納領域６２の各棒金配列方向の両外側に配置されている。長壁部４５の平壁面４５ａは３本収納領域６１に臨んで設けられており、短壁部４６の平壁面４６ａは２本収納領域６２に臨んで設けられている。平壁面４５ａおよび平壁面４６ａは、３本収納領域６１および２本収納領域６２の配列方向の両外側に配置されている。
【００４０】
そして、一対の側壁部４７には、３本収納領域６１と２本収納領域６２との間位置に、上記した一対の規制部５３が設けられている。一対の規制部５３の最小間隔Ｌつまり先端部同士の間隔Ｌは、収納対象金種の棒金Ｂの外径つまり直径の２倍よりも短くなっており、よって、収納対象金種の棒金Ｂの直径の２倍よりも若干広い一対の湾曲壁面５２ａの最大間隔よりも短くなっている。これにより、一対の規制部５３は、２本収納領域６２に同時に収納されている２本の棒金Ｂの３本収納領域６１側への移動を短壁部４６とで規制する。
【００４１】
一対の規制部５３は、短壁部４６側の面５３ａが、互いに近接する先端側ほど長壁部４５の平壁面４５ａに近づくように傾斜する一方、長壁部４５側の面５３ｂが、長壁部４５の平壁面４５ａに沿って延在している。一対の規制部５３の一対の面５３ｂと長壁部４５の平壁面４５ａとの距離は収納対象金種の棒金Ｂの直径よりも若干長くなっており、よって、一対の規制部５３は、３本収納領域６１内での棒金Ｂの移動を長壁部４５とで許容している。他方、一対の規制部５３の一対の面５３ａと短壁部４６の平壁面４６ａとの距離は収納対象金種の棒金Ｂの直径よりも短くなっている。
【００４２】
長壁部４５と短壁部４６との間隔、つまり平壁面４５ａと平壁面４６ａとの間隔は、棒金Ｂの直径の２倍よりも短く、よって、互いに平行をなす３本収納領域６１と２本収納領域６２とは前後方向の位置を一部重ね合わせている。その結果、長壁部４５は、３本収納領域６１の中央の１本収納領域６０に収納されている１本の棒金Ｂの３本収納領域６１の両端の１本収納領域６０への移動を２本収納領域６２に収納されている２本の棒金Ｂとで規制する。言い換えれば、長壁部４５は、３本収納領域６１の両端の１本収納領域６０に収納されている１本の棒金Ｂの３本収納領域６１の中央の１本収納領域６０への移動を２本収納領域６２に収納されている２本の棒金Ｂとで規制する。
【００４３】
底部４３の各棒金Ｂの収納位置、つまり各１本収納領域６０の底位置には、図６に示すように、底部４３の最も深い底面４３ａから上方に突出する凸状の下部係合部７１が設けられている。ここで、５０枚の硬貨を包装シートで一体化したものが５０枚巻きの棒金であり、２０枚の硬貨を包装シートで一体化したものが２０枚巻きの棒金である。棒金Ｂの包装シートは、集積硬貨の上下両端部において巻き代を有しており、この巻き代が、それぞれ加締め爪（図示せず）によって内側に丸められて、上下両端部に配置される硬貨よりも突出するリング状の図６に示す加締部Ｋを形成している。
【００４４】
下部係合部７１は、平面視円形の短柱状をなしており、これが設けられた棒金収納凹部４１の収納対象金種の棒金Ｂの下端加締部Ｋの内径と同等の外径を有していて、この下端加締部Ｋの内側に入り込んで棒金Ｂの下端部に係合する。その際に、下部係合部７１は、棒金Ｂの硬貨部分から軸方向外側に突出する円形状の加締部Ｋの内側に入り込み硬貨部分に接触して棒金Ｂを支持する。図５に示すように、下部係合部７１は、全ての１本収納領域６０のそれぞれ底位置中央に設けられている。下部係合部７１は、各湾曲壁面５１ａ，５２ａの各内側位置に湾曲壁面５１ａ，５２ａと中心軸線を一致させて４カ所形成され、さらに、３本収納領域６１を形成する湾曲壁面５１ａ間の中央の１カ所にも形成されている。つまり、棒金収納凹部４１の底部４３には、３本収納領域６１の底部を構成する部分に３カ所、２本収納領域６２の底部を構成する部分に２カ所、下部係合部７１がそれぞれ設けられている。図６に示すように、下部係合部７１は、これが配置された１本収納領域６０に配置された棒金Ｂの下端加締部Ｋの内側に入り込んで係合する。
【００４５】
金種別に設けられた棒金収納凹部４１は、それぞれの下部係合部７１の上面までの深さが収納対象金種の棒金Ｂの長さに合わせて設定されている。つまり、１円棒金、５円棒金および１０円棒金の各収納用の棒金収納凹部４１は、下部係合部７１の上面までの深さが同等であり、底面４３ａまでの深さも同等になっている。５０円棒金および１００円棒金の各収納用の棒金収納凹部４１は、下部係合部７１の上面までの深さが同等であり、底面４３ａまでの深さも同等になっていて、いずれの深さも１円棒金、５円棒金および１０円棒金の各収納用よりも深くなっている。５００円棒金収納用の棒金収納凹部４１は、下部係合部７１の上面までの深さおよび底面４３ａまでの深さがいずれも１円棒金、５円棒金、１０円棒金、５０円棒金および１００円棒金の各収納用よりも深くなっている。
【００４６】
金種別に設けられた棒金収納凹部４１は、いずれの金種用であるかによって図５に示す湾曲側壁部５１，５２の内径、下部係合部７１の外径、長壁部４５と３本収納領域６１の下部係合部７１との距離、および、短壁部４６と２本収納領域６２の下部係合部７１との距離が異なっている。つまり、１円棒金収納用の棒金収納凹部４１、５０円棒金収納用の棒金収納凹部４１、５円棒金収納用の棒金収納凹部４１、１００円棒金収納用の棒金収納凹部４１、１０円棒金収納用の棒金収納凹部４１、５００円棒金収納用の棒金収納凹部４１の順に、湾曲側壁部５１，５２の内径、下部係合部７１の外径、長壁部４５と３本収納領域６１の下部係合部７１との距離、および、短壁部４６と２本収納領域６２の下部係合部７１との距離が大きくなっている。これにより、異金種棒金の適正な形態での収納を規制するようになっている。すなわち、所定の金種収納用の棒金収納凹部４１の下部係合部７１に、この金種よりも外径が小さく、よって加締部Ｋの内径が小さい異金種の棒金Ｂを嵌合させようとしても、嵌合が困難となり、適正な形態での収納が困難になる。また、所定の金種収納用の棒金収納凹部４１に、この金種よりも外径が大きい異金種の棒金Ｂを嵌合させようとしても、下部係合部７１に加締部Ｋを係合させた状態での湾曲側壁部５１，５２への嵌合が困難となり、適正な形態での収納が困難になる。
【００４７】
下部係合部７１には、下部係合部７１に係合し、下部係合部７１の上に載置されている棒金Ｂの有無および金種を検出する磁気センサ等の棒金検出センサ７２が設けられており、このような棒金検出センサ７２が、すべての下部係合部７１に個別に設けられている。
【００４８】
１つの棒金トレイ３８の前後２カ所の棒金収納凹部４１は、いずれも棒金収納庫１２（Ｃ）の引き出しの方向の奥側に２本収納領域６２が、手前側に３本収納領域６１が配置されている。その結果、１つの棒金トレイ３８の前後２カ所の棒金収納凹部４１は、３本収納領域６１と２本収納領域６２との並び順を互いに合わせて並列に配列されている。ここで、棒金収納庫１２（Ｃ）に設けられるすべての棒金トレイ３８は、それぞれの１カ所の棒金収納凹部４１において、引き出しの方向の奥側に２本収納領域６２が、手前側に３本収納領域６１が配置されており、それぞれの２カ所の棒金収納凹部４１において、３本収納領域６１と２本収納領域６２との並び順を互いに合わせて並列に配列されている。
【００４９】
また、１つの棒金トレイ３８の２カ所の３本収納領域６１および２カ所の２本収納領域６２は、前後方向つまり収納庫１２の引き出し方向に直交する方向に延在している。言い換えれば、１つの棒金トレイ３８の２カ所の３本収納領域６１および２カ所の２本収納領域６２は、それぞれの棒金配列方向を、前後方向つまり棒金収納庫１２（Ｃ）の引き出し方向に直交させている。ここで、棒金収納庫１２（Ｃ）に設けられるすべての棒金トレイ３８の３本収納領域６１および２本収納領域６２は、前後方向つまり棒金収納庫１２（Ｃ）の引き出し方向に直交する方向に延在している。
【００５０】
棒金トレイ３８には、基板部４０の上面に、収納対象の金種を目視可能に明示する金種明示部７３が設けられている（図４および図５は１０円棒金の例）。各棒金トレイ３８に収納すべき設定金種を示す収納金種データは、予め設定されて図２に示す記憶部２６に記憶されることになる。
【００５１】
現金管理装置１０は、図７〜図１０に示す端数棒金支持体１０１を有している。端数棒金支持体１０１は、合成樹脂製であり、図７に示すように、胴部１０２と、胴部１０２から離れるほど窄まる形状の傾斜部１０３と、傾斜部１０３の胴部１０２とは反対側に設けられた胴部１０２よりも細い棒状部１０４とを有している。
【００５２】
胴部１０２は、円筒面を半分に切った形状の半円筒壁面１１１ａを有する半円柱状の第１胴部構成部１１１と、半円筒壁面１１１ａの周方向の両端縁部から半円筒壁面１１１ａの接線方向に延出する一対の平壁面１１２ａを両側に有する直方体形状の第２胴部構成部１１２と、第２胴部構成部１１２の第１胴部構成部１１１とは反対側の端部から互いに反対方向に突出する一対の平板状のフランジ部１１３とを有している。一対のフランジ部１１３は、半円筒壁面１１１ａの中心軸線に平行に伸びている。胴部１０２は、第２胴部構成部１１２および一対のフランジ部１１３の第１胴部構成部１１１とは反対側に、図８に示す平坦な一つの当接面１０２ａを有している。
【００５３】
図９に示すように、胴部１０２には、傾斜部１０３とは反対側に、傾斜部１０３とは反対側の端面１０２ｂよりも凹む係合凹部１１５が設けられている。係合凹部１１５は、図１０に示すように、半円筒壁面１１１ａの中心軸線を中心とする円形状をなす内壁面１１５ａと、内壁面１１５ａの周方向の均等位置から径方向内方に同等に突出する半円柱状の複数、具体的には６カ所の突出部１１６とをしている。係合凹部１１５は、これら突出部１１６の内接円の中心が半円筒壁面１１１ａの中心軸線と一致しており、この内接円の径が内径となっている。半円筒壁面１１１ａの中心軸線から当接面１０２ａまでの距離は、半円筒壁面１１１ａの半径と同等になっている。
【００５４】
図９に示すように、傾斜部１０３は、胴部１０２の係合凹部１１５とは反対側に設けられており、図７に示すように、円錐面を半分に切り先端側を切った形状の湾曲する湾曲傾斜面１２１ａを有する第１傾斜部構成部１２１と、一対の平壁面１１２ａの上端縁部から上側ほど互いに間隔が狭くなるように傾斜して延出する一対の平坦な平坦傾斜面１２２ａを有する第２傾斜部構成部１２２と、を有している。湾曲傾斜面１２１ａの中心軸線は、半円筒壁面１１１ａの中心軸線と一致している。一対の平坦傾斜面１２２ａは、湾曲傾斜面１２１ａの円周方向の両端縁部から湾曲傾斜面１２１ａに連続するように延出している。一方のフランジ部１１３の上端面１１３ａは、一方の平坦傾斜面１２２ａと同一平面に配置されてこの平坦傾斜面１２２ａに連続しており、他方のフランジ部１１３の上端面１１３ａは、他方の平坦傾斜面１２２ａと同一平面に配置されてこの平坦傾斜面１２２ａに連続している。第１傾斜部構成部１２１の上端面および第２傾斜部構成部１２２の上端面で構成される傾斜部１０３の端面１０３ａは、半円筒壁面１１１ａの中心軸線に直交する同一平面に配置されている。
【００５５】
棒状部１０４は、傾斜部１０３とは反対側の半球状の端部を除いて円柱状であり、傾斜部１０３の端面１０３ａから半円筒壁面１１１ａの中心軸線と平行に延出している。棒状部１０４は、その半径が、半円筒壁面１１１ａの半径よりも小径となっており、湾曲傾斜面１２１ａの最小半径よりも小径となっている。
【００５６】
図８に示すように、端数棒金支持体１０１は、棒金収納凹部４１に対し着脱自在であり、棒金Ｂの代わりに棒金収納凹部４１に取り付けられるものである。端数棒金支持体１０１は、金種別に設けられており、同じ金種を収納対象金種とした棒金収納凹部４１の下部係合部７１に取り付けられる。すなわち、１円棒金収納用の端数棒金支持体１０１は、１円棒金収納用の棒金収納凹部４１に取り付けられ、５円棒金収納用の端数棒金支持体１０１は、５円棒金収納用の棒金収納凹部４１に取り付けられ、１０円棒金収納用の端数棒金支持体１０１は、１０円棒金収納用の棒金収納凹部４１に取り付けられ、５０円棒金収納用の端数棒金支持体１０１は、５０円棒金収納用の棒金収納凹部４１に取り付けられ、１００円棒金収納用の端数棒金支持体１０１は、１００円棒金収納用の棒金収納凹部４１に取り付けられ、５００円棒金収納用の端数棒金支持体１０１は、５００円棒金収納用の棒金収納凹部４１に取り付けられる。
【００５７】
端数棒金支持体１０１は、図１０に示す突出部１１６の内接円の径である係合凹部１１５の内径が、同じ収納対象金種の棒金収納凹部４１の下部係合部７１の外径よりも若干大径となっている。これにより、端数棒金支持体１０１は、図９に示すように係合凹部１１５を下端部に位置させた姿勢で、上方に凹む係合凹部１１５に、同じ収納対象金種の棒金収納凹部４１の底部４３の下部係合部７１を入り込ませて嵌合させ、この下部係合部７１が設けられた１本収納領域６０に配置される。その際に、端数棒金支持体１０１は、係合凹部１１５側の端面１０２ｂにおいて棒金収納凹部４１の底部の４３の底面４３ａに当接して底面４３ａに載置される。なお、係合凹部１１５の深さを下部係合部７１の高さよりも浅くして、端面１０２ｂを底面４３ａに当接させずに、下部係合部７１の上面に係合凹部１１５の天井面を当接させても良い。
【００５８】
端数棒金支持体１０１は、金種別に設けられており、いずれの金種用であるかによって図１０に示す突出部１１６の内接円の径である係合凹部１１５の内径が異なっている。つまり、１円棒金収納用の端数棒金支持体１０１、５０円棒金収納用の端数棒金支持体１０１、５円棒金収納用の端数棒金支持体１０１、１００円棒金収納用の端数棒金支持体１０１、１０円棒金収納用の端数棒金支持体１０１、５００円棒金収納用の端数棒金支持体１０１の順に、係合凹部１１５の内径が大きくなっている。図示は略すが、端数棒金支持体１０１には、いずれの金種用のものであるのかを明示する刻印等が施されている。
【００５９】
図８に示すように、端数棒金支持体１０１は、同じ収納対象金種の棒金収納凹部４１の３本収納領域６１の下部係合部７１のうち、棒金配列方向中央の下部係合部７１（中央係合部）に係合可能であり、棒金配列方向中央の下部係合部７１に係合すると、図９に示すように、その当接面１０２ａが長壁部４５の平壁面４５ａに当接する。当接面１０２ａは、長壁部４５の平壁面４５ａに面接触で当接する。この状態で、半円筒壁面１１１ａの中心軸線は、下部係合部７１の中心軸線と一致する。端数棒金支持体１０１は、その半円筒壁面１１１ａの半径が、対応金種の棒金Ｂの半径と同等に形成されている。つまり、１円棒金収納用の端数棒金支持体１０１、５０円棒金収納用の端数棒金支持体１０１、５円棒金収納用の端数棒金支持体１０１、１００円棒金収納用の端数棒金支持体１０１、１０円棒金収納用の端数棒金支持体１０１、５００円棒金収納用の端数棒金支持体１０１の順に、半円筒壁面１１１ａの半径が大きくなっている。
【００６０】
また、１円棒金、５円棒金および１０円棒金の各収納用の端数棒金支持体１０１は、胴部１０２および傾斜部１０３を加えた長さ、つまり端面１０２ｂと端面１０３ａとの距離が同等であり、５０円棒金および１００円棒金の各収納用の端数棒金支持体１０１は、胴部１０２および傾斜部１０３を加えた長さが同等で、１円棒金、５円棒金および１０円棒金の各収納用の端数棒金支持体１０１の胴部１０２および傾斜部１０３を加えた長さよりも長くなっている。また、５００円棒金収納用の端数棒金支持体１０１は、これらよりも胴部１０２および傾斜部１０３を加えた長さが長くなっている。端数棒金支持体１０１の全長は、対応金種の棒金Ｂの長さよりも短く、胴部１０２および傾斜部１０３を加えた長さは、対応金種用の棒金収納凹部４１の底面４３ａまでの深さよりも若干長くなっている。これにより、対応金種用の棒金収納凹部４１の底面４３ａに載置された端数棒金支持体１０１は、傾斜部１０３が若干棒金収納凹部４１から上方に突出する。端数棒金支持体１０１は、棒状部１０４が、棒金収納凹部４１から上方に延出しており、出し入れしやすい形状となっている。
【００６１】
また、１円棒金収納用の端数棒金支持体１０１、５０円棒金収納用の端数棒金支持体１０１、５円棒金収納用の端数棒金支持体１０１、１００円棒金収納用の端数棒金支持体１０１および１０円棒金収納用の端数棒金支持体１０１は、棒状部１０４の円柱部分の外径が同等であり、５００円棒金収納用の端数棒金支持体１０１は、これらよりも棒状部１０４の円柱部分の外径が大きくなっている。つまり、５００円棒金収納用の端数棒金支持体１０１の棒状部１０４は、他の収納用の端数棒金支持体１０１の棒状部１０４よりも太くなっている。
【００６２】
端数棒金支持体１０１が同じ収納対象金種の棒金収納凹部４１の３本収納領域６１の棒金配列方向中央の１本収納領域６０の下部係合部７１に係合凹部１１５において係合すると、図８に示すように、この３本収納領域６１の他の１本収納領域６０である棒金配列方向両側の各１本収納領域６０に立位状態に設けられた棒金Ｂを支持してその棒金配列方向中央側への倒れを規制することになる。３本収納領域６１の棒金配列方向両側の各１本収納領域６０に設けられた棒金Ｂの棒金配列方向外側への倒れは一対の湾曲側壁部５１が規制する。３本収納領域６１の棒金配列方向両側の各１本収納領域６０に設けられた棒金Ｂの棒金配列方向に直交する方向の外側への倒れは長壁部４５が規制する。
【００６３】
端数棒金支持体１０１が同じ収納対象金種の棒金収納凹部４１の下部係合部７１に係合凹部１１５において係合した状態で、この棒金収納凹部４１の一対の湾曲側壁部５１には、長壁部４５とは反対側に一対の規制部５３が設けられている。一対の規制部５３は、３本収納領域６１の棒金配列方向中央の下部係合部７１に係合した端数棒金支持体１０１とで、３本収納領域６１の棒金配列方向両側の各１本収納領域６０に立位状態に設けられた収納対象金種の棒金Ｂを支持してその長壁部４５とは反対方向への倒れを規制する。つまり、一方の規制部５３と端数棒金支持体１０１との最短距離は、収納対象金種の棒金の外径よりも小さい。この最短距離と同等の他方の規制部５３と端数棒金支持体１０１との最短距離も、収納対象金種の棒金の外径よりも小さい。
【００６４】
端数棒金支持体１０１が同じ収納対象金種の棒金収納凹部４１の下部係合部７１に係合凹部１１５において係合した状態で、一対の規制部５３は、端数棒金支持体１０１とで、２本収納領域６２の各１本収納領域６０に設けられた収納対象金種の棒金Ｂの３本収納領域６１側への倒れおよび２本収納領域６２の各１本収納領域６０に立位状態に設けられた収納対象金種の棒金Ｂの他方の１本収納領域６０側への倒れを規制する。これは、上記のように一対の規制部５３のそれぞれと端数棒金支持体１０１との最短距離が、収納対象金種の棒金Ｂの外径よりも小さく設定されていることと、端数棒金支持体１０１と短壁部４６との最短距離が、収納対象金種の棒金Ｂの外径よりも小さく設定されていることとによる。２本収納領域６２の各１本収納領域６０に設けられた棒金Ｂの棒金配列方向外側への倒れは一対の湾曲側壁部５２が規制する。２本収納領域６２の棒金配列方向両側の各１本収納領域６０に設けられた棒金Ｂの棒金配列方向に直交する方向の外側への倒れは短壁部４６が規制する。
【００６５】
上記したように、金種別の棒金収納凹部４１は、湾曲側壁部５１，５２の内径、下部係合部７１の外径、長壁部４５と３本収納領域６１の下部係合部７１との距離、および、短壁部４６と２本収納領域６２の下部係合部７１との距離が異なっており、金種別の端数棒金支持体１０１は、係合凹部１１５の内径が異なっている。これにより、棒金収納凹部４１には、他の金種用の端数棒金支持体１０１が適正な形態に装着が困難になり、誤装着を抑制するようになっている。
【００６６】
すなわち、所定の金種収納用の棒金収納凹部４１の３本収納領域６１の棒金配列方向中央の下部係合部７１に、この金種用よりも係合凹部１１５の内径が小さい異金種収納用の端数棒金支持体１０１を嵌合させようとしても、嵌合が困難となり、適正な形態での装着が困難になる。これにより、端数棒金支持体１０１が浮いた状態になって、直上の収納庫１２に干渉したり、不安定な状態になって誤装着が明確になる。また、所定の金種収納用の棒金収納凹部４１の３本収納領域６１の棒金配列方向中央の下部係合部７１に、この金種用よりも外径が大きい異金種の収納用の端数棒金支持体１０１を嵌合させようとしても、下部係合部７１と長壁部４５との距離が不足し、中央の下部係合部７１に係合凹部１１５を係合させた状態でのこの下部係合部７１と長壁部４５との間の装着が困難となり、適正な形態での装着が困難になる。これにより、誤装着が明確になる。
【００６７】
図３に示すように、棒金収納庫１２（Ｃ）の一対の側板部３２のうちの一方である左側の側板部３２は、略水平に広がる板部１３１を有しており、この板部１３１には、上下に貫通する挿入穴１３２が形成されている。挿入穴１３２は、棒状部１０４の外径が同径である、１円棒金、５０円棒金、５円棒金、１００円棒金および１０円棒金の各収納用の端数棒金支持体１０１の棒状部１０４を挿入可能であり、これらよりも棒状部１０４の外径が大径である５００円棒金収納用の端数棒金支持体１０１の棒状部１０４を挿入不可な内径となっている。
【００６８】
１円棒金、５０円棒金、５円棒金、１００円棒金および１０円棒金の各収納用の端数棒金支持体１０１は、棒状部１０４が挿入穴１３２に挿入され、端面１０３ａにおいて板部１３１の挿入穴１３２の周囲部分に載置される。挿入穴１３２および板部１３１の挿入穴１３２の周囲部分が、１円棒金、５０円棒金、５円棒金、１００円棒金および１０円棒金の各収納用の端数棒金支持体１０１を保管する支持体保管部１３３となっている。
【００６９】
ここで、１円棒金、５０円棒金、５円棒金、１００円棒金および１０円棒金の各収納用の端数棒金支持体１０１は、胴部１０２および傾斜部１０３を合わせた長さが、支持体保管部１３３に保管された状態での収納庫１２の開閉時に、直上の収納庫１２および装置本体１１に干渉しない長さとなっている。他方、これらよりも、５００円棒金収納用の端数棒金支持体１０１は、胴部１０２および傾斜部１０３を合わせた長さが長く、これらと同様に保管すると、収納庫１２の開閉時に直上の収納庫１２あるいは装置本体１１に干渉してしまう。このため、５００円棒金収納用の端数棒金支持体１０１の支持体保管部１３３への誤収納を、棒状部１０４の挿入穴１３２への挿入を不可とすることで規制する。
【００７０】
収納庫１２の５００円棒金収納用の棒金トレイ３８の後方の空きスペースに、上下に貫通する挿入穴１４１が形成された略水平に広がる支持体保管部１４２が設けられている。挿入穴１４１は、５００円棒金収納用の端数棒金支持体１０１を挿入可能な大きさに形成されている。５００円棒金収納用の端数棒金支持体１０１は、棒状部１０４が挿入穴１４１に挿入され、端面１０３ａにおいて支持体保管部１４２に載置されて保管される。５００円棒金収納用の端数棒金支持体１０１は、胴部１０２および傾斜部１０３を合わせた長さが、支持体保管部１４２に保管された状態での収納庫１２の開閉時に、直上の収納庫１２および装置本体１１に干渉しない長さとなっている。勿論、全金種収納用の端数棒金支持体１０１が支持体保管部１３３に保管しても、収納庫１２の開閉時に、直上の収納庫１２および装置本体１１に干渉しない長さであれば、すべて支持体保管部１３３に保管することも可能である。
【００７１】
以上においては、棒金収納凹部４１以外に設けられた支持体保管部１３３，１４２に端数棒金支持体１０１を保管するようにしたが、同じ金種収納用の棒金収納凹部４１に空きがあれば、この棒金収納凹部４１に端数棒金支持体１０１を装着して保管することも可能である。
【００７２】
装置本体１１には、収納庫１２が装置本体１１に最も押し込まれた後端位置である全閉位置にあることを検出する図２に示す全閉検出センサ９６が収納庫１２のそれぞれに対して設けられている。装置本体１１には、収納庫１２が装置本体１１から引き出された開状態にあることを検出する開検出センサ９７が収納庫１２のそれぞれに対して設けられている。
【００７３】
加えて、装置本体１１には、収納庫１２を個別に全閉位置でロックするロック機構２２が設けられている。ロック機構２２は、制御部２５から出力される開指令信号で開状態となる。制御部２５は、開状態とした収納庫１２が装置本体１１から引き出されたことが開検出センサ９７で検出されると、開指令信号を停止させることになり、この状態でロック機構２２は、収納庫１２が全閉位置に戻されると、収納庫１２を引き出し不可に自動的かつ機械的にロックする。制御部２５は、一の収納庫１２が装置本体１１から引き出されたことが開検出センサ９７で検出された後、この一の収納庫１２が全閉位置に戻されたことが全閉検出センサ９６で検出されると、この一の収納庫１２に収納された棒金Ｂの金種別の数を全ての棒金検出センサ７２の検出結果から把握する。
【００７４】
ここで、端数棒金支持体１０１は、下部係合部７１に設けられた磁気センサ等の棒金検出センサ７２によって、収納すべき設定金種の棒金であると誤検知されないような材質で形成される。例えば、棒金検出センサ７２を磁気センサで構成した場合、端数棒金支持体１０１を樹脂製などで形成すれば、磁気センサでは検出されない。または、端数棒金支持体１０１を収納すべき設定金種の硬貨とは明らかに異なる金属材質で形成すれば、磁気センサで検出されたとしても明らかに異なる信号を検出することになるので、収納すべき設定金種の棒金との切り分けも容易となる。さらには、磁気センサとは異なるセンサを設けたとしても、端数棒金支持体１０１は、予め定められた材質で形成することができるので、検出されない、または、検出されるものであっても明らかに異なる信号を検出することとなるようにして、収納すべき設定金種の棒金との切り分けを可能とする。
【００７５】
加えて、端数棒金支持体１０１は、上記したように、目視的にも、外観形状が収納すべき設定金種の棒金と明らかに異なるものとなっている。さらには、端数棒金支持体１０１の色、模様等についても、明らかに異なる色、模様等で着色、印刷することで、目視による識別が容易に可能となる。
【００７６】
以上に述べた現金管理装置１０では、１カ所の棒金収納凹部４１に収納対象金種の棒金Ｂを１本〜４本の範囲で収納する場合、同じ金種用の端数棒金支持体１０１を３本収納領域６１の下部係合部７１のうちの棒金配列方向中央の下部係合部７１に係合させる。つまり、この下部係合部７１に、この端数棒金支持体１０１の係合凹部１１５を嵌合させて、この端数棒金支持体１０１の端面１０２ｂを底面４３ａに当接させると共に、この端数棒金支持体１０１の当接面１０２ａを長壁部４５の平壁面４５ａに当接させる。
【００７７】
すると、端数棒金支持体１０１が配置された１本収納領域６０以外の１本収納領域６０には、いずれの位置にも棒金Ｂが鉛直立位状態に維持できる。つまり、３本収納領域６１の一側の１本収納領域６０に、その下部係合部７１に下端加締部Ｋを係合させて棒金Ｂを収納すると、この棒金Ｂは、この１本収納領域６０を構成する湾曲側壁部５１と長壁部４５と端数棒金支持体１０１とによって鉛直立位状態に維持されることになり、３本収納領域６１の他側の１本収納領域６０に、その下部係合部７１に下端加締部Ｋを係合させて棒金Ｂを収納すると、この棒金Ｂは、この１本収納領域６０を構成する湾曲側壁部５１と端数棒金支持体１０１とによって鉛直立位状態に維持される。また、２本収納領域６２の一側の１本収納領域６０に、その下部係合部７１に下端加締部Ｋを係合させて棒金Ｂを収納すると、この棒金Ｂは、この１本収納領域６０を構成する湾曲側壁部５２と短壁部４６と端数棒金支持体１０１とよって鉛直立位状態に維持されることになり、２本収納領域６２の他側の１本収納領域６０に、その下部係合部７１に下端加締部Ｋを係合させて棒金Ｂを収納すると、この棒金Ｂは、この１本収納領域６０を構成する湾曲側壁部５２と短壁部４６と端数棒金支持体１０１とよって鉛直立位状態に維持されることになる。
【００７８】
なお、図１１に示すように、２本収納領域６２に２本の収納対象金種の棒金Ｂを収納する状態とすれば、３本収納領域６１に端数棒金支持体１０１がなくても、２本収納領域６２の２本の棒金Ｂは倒れが規制されて鉛直立位状態に維持される。よって、１カ所の棒金収納凹部４１にて２本のみの収納対象金種の棒金Ｂを鉛直立位状態に維持できる。
【００７９】
また、３本収納領域６１の２本収納領域６２とは反対側に配置される長壁部４５と、２本収納領域６２の３本収納領域６１とは反対側に配置される短壁部４６との間隔が、収納対象金種の棒金Ｂの直径の２倍よりも短いため、図１２（ａ）に示すように、２本収納領域６２に２本の収納対象金種の棒金Ｂを収納する状態とすれば、さらに１本の収納対象金種の棒金Ｂを３本収納領域６１の中央の１本収納領域６０に収納すると、この１本の棒金Ｂは、端数棒金支持体１０１がなくても、２本収納領域６２の２本の棒金Ｂと長壁部４５とで倒れが規制されて鉛直立位状態に維持される。
【００８０】
また、同様の理由から、２本収納領域６２に２本の収納対象金種の棒金Ｂを収納する状態とすれば、図１２（ｂ）に示すように、１本の収納対象金種の棒金Ｂを３本収納領域６１の一端の１本収納領域６０に収納しても、この１本の棒金Ｂは、３本収納領域６１に端数棒金支持体１０１がなくても、２本収納領域６２の２本の棒金Ｂと長壁部４５とで倒れが規制されて鉛直立位状態に維持される。２本収納領域６２に２本の収納対象金種の棒金Ｂを収納する状態とすれば、さらに１本の収納対象金種の棒金Ｂを３本収納領域６１の他端の１本収納領域６０に収納しても同様に鉛直立位状態に維持される。よって、１カ所の棒金収納凹部４１にて３本のみの棒金Ｂを鉛直立位状態に維持できることになる。
【００８１】
このように、２本収納領域６２に２本の収納対象金種の棒金Ｂを収納する状態とすれば、さらに１本の収納対象金種の棒金Ｂを３本収納領域６１の中央の１本収納領域６０に収納しても、一方の端部の１本収納領域６０に収納しても、他方の端部の１本収納領域６０に収納しても良い。このことから、２本収納領域６２に２本の収納対象金種の棒金Ｂを収納する状態とすれば、図１３（ａ）に示すように３本収納領域６１の両端の１本収納領域６０に２本の収納対象金種の棒金Ｂを収納しても、図１３（ｂ）に示すように３本収納領域６１の中央および一端の１本収納領域６０に２本の収納対象金種の棒金Ｂを収納しても、３本収納領域６１の中央および他端の１本収納領域６０に２本の収納対象金種の棒金Ｂを収納しても、３本収納領域６１の２本の棒金Ｂは、２本収納領域６２の２本の棒金Ｂと長壁部４５とで倒れが規制されて鉛直立位状態に維持される。よって、１カ所の棒金収納凹部４１にて４本のみの棒金Ｂを鉛直立位状態に維持できる。
【００８２】
また、上記の寸法関係により、図１３（ｃ）に示すように３本収納領域６１に３本の収納対象金種の棒金Ｂを収納し、２本収納領域６２の一方の１本収納領域６０に１本の収納対象金種の棒金Ｂを収納すると、２本収納領域６２の残りの１本収納領域６０に棒金Ｂがなくても、これらの棒金Ｂは、一対の規制部５３、長壁部４５および短壁部４６で倒れが規制されて鉛直立位状態に維持される。３本収納領域６１に３本の収納対象金種の棒金Ｂを収納し、２本収納領域６２の他方の１本収納領域６０に１本の収納対象金種の棒金Ｂを収納しても同様に、これらの棒金Ｂは鉛直立位状態に維持される。よって、このような収納形態でも、１カ所の棒金収納凹部４１にて４本のみの収納対象金種の棒金Ｂを鉛直立位状態に維持できることになる。
【００８３】
加えて、図５に示すように、収納対象金種の棒金Ｂが棒金収納凹部４１に満杯つまり５本収納された状態で、棒金Ｂは、棒金収納凹部４１の壁部４２および他の棒金Ｂで支持されて中心軸線を鉛直配置した鉛直立位状態に維持される。
【００８４】
以上に述べた本実施形態によれば、棒金収納凹部４１の３本収納領域６１の中央の１本収納領域６０の底位置に設けられた凸状の下部係合部７１を、係合凹部１１５の内側に入り込ませて、この下部係合部７１が設けられた１本収納領域６０に端数棒金支持体１０１を配置すると、端数棒金支持体１０１は、他の１本収納領域６０に立位状態に設けられた棒金Ｂを支持してその倒れを規制することになる。これにより、棒金収納凹部４１に満杯に棒金Ｂを収納していなくても、棒金Ｂの代わりに端数棒金支持体１０１を配置することで、棒金Ｂを立位状態に維持しつつ収納することが可能になる。したがって、同じ棒金収納凹部４１を満杯収納用と端数収納用とで共用化できるため、コストを低減することができる。また、同じ棒金収納凹部４１を満杯収納用と端数収納用とで共用化することができるため、例えば複数の棒金収納凹部４１を設けた場合に、これらの中から任意で満杯収納用と端数収納用とを設定することができる。したがって、使い勝手性が向上する。
【００８５】
また、棒金収納凹部４１の底部４３には、各１本収納領域６０の底位置に棒金Ｂの下端加締部Ｋの内側に入り込む凸状の下部係合部７１が設けられており、下部係合部７１を入り込ませる係合凹部１１５が端数棒金支持体１０１にも設けられているため、棒金Ｂおよび端数棒金支持体１０１を各１本収納領域６０に位置決めしつつ配置することができる。したがって、棒金Ｂおよび端数棒金支持体１０１を１つずつ適正位置に配置することができる。
【００８６】
また、下部係合部７１が棒金Ｂの下端加締部Ｋの内側や端数棒金支持体１０１の係合凹部１１５の内側に入り込むことで、収納状態にある棒金Ｂや端数棒金支持体１０１のガタツキを抑制することができる。
【００８７】
また、一対の湾曲側壁部５１で棒金配列方向の両外側が形成され、長壁部４５で棒金配列方向に直交する方向の外側が形成された３本収納領域６１の棒金配列方向中央の下部係合部７１に端数棒金支持体１０１を係合させると、一対の湾曲側壁部５１に設けられた一対の規制部５３が、端数棒金支持体１０１とで３本収納領域６１の棒金配列方向両側の各１本収納領域６０に立位状態に設けられた棒金Ｂを支持してその長壁部４５とは反対方向への倒れを規制する。これにより、３本収納領域６１へ１本のみの棒金Ｂおよび２本のみの棒金Ｂを立位状態に維持しつつ収納することができる。
【００８８】
また、端数棒金支持体１０１は、３本収納領域６１の棒金配列方向中央の下部係合部７１に係合した状態で、当接面１０２ａが、長壁部４５の平坦な平壁面４５ａに当接するため、３本収納領域６１の棒金配列方向中央の下部係合部７１への端数棒金支持体１０１の係合姿勢が安定する。
【００８９】
また、一対の規制部５３が、端数棒金支持体１０１とで３本収納領域６１の棒金配列方向両側の各１本収納領域６０に立位状態に設けられた棒金Ｂを支持してその長壁部４５とは反対方向への倒れを規制すると共に、２本収納領域６２の各１本収納領域６０に立位状態に設けられた棒金Ｂの３本収納領域６１側への倒れおよび他方の１本収納領域６０側への倒れを規制する。これにより、３本収納領域６１および２本収納領域６２に、１本〜４本の端数の棒金Ｂを立位状態に維持しつつ収納することができる。
【００９０】
また、一対の湾曲側壁部５１が、３本収納領域６１の棒金配列方向の両外側にこの３本収納領域６１に臨んで設けられてこの３本収納領域６１内に中心を配して湾曲する一対の湾曲壁面５１ａを有し、一対の湾曲側壁部５２が、２本収納領域６２の棒金配列方向の両外側にこの２本収納領域６２に臨んで設けられてこの２本収納領域６２内に中心を配して湾曲する一対の湾曲壁面５２ａを有している。このため、これら一対の湾曲壁面５１ａおよび一対の湾曲壁面５２ａで四隅の棒金Ｂを案内することができる。よって、５本の棒金Ｂを纏めて棒金収納凹部４１に挿入する際に、正確に挿入することが可能となる。
【００９１】
また、棒金収納凹部４１は、３本収納領域６１および２本収納領域６２の棒金配列方向を、棒金収納庫１２（Ｃ）の引き出しの方向に対し直交させている。このため、不慣れな係員でも、５本の棒金Ｂを両手で纏めて掴んで棒金収納凹部４１に挿入する際に戸惑うことなく円滑に挿入可能となる。
【００９２】
また、棒金収納凹部４１は、棒金収納庫１２（Ｃ）の引き出しの方向の奥側に２本収納領域６２が、手前側に３本収納領域６１が配置されているため、５本の棒金Ｂからなる棒金群を、両手で棒金収納凹部４１に合わせた形状にしつつ掴む際に掴み易く、よって、５本の棒金Ｂを両手で掴んで棒金収納凹部４１に対し出し入れする作業がさらに容易化可能となる。
【００９３】
また、端数棒金支持体１０１に棒状部１０４が設けられているため、端数棒金支持体１０１が掴み易くなり、棒金収納凹部４１への装着および棒金収納凹部４１からの取り外し作業が容易となる。端数棒金支持体１０１が装着された状態での棒金収納凹部４１への棒金Ｂの収納時には、端数棒金支持体１０１の傾斜部１０３が棒金Ｂを横の１本収納領域６０に案内することになり、収納作業が容易となる。
【００９４】
また、端数棒金支持体１０１を、棒状部１０４を挿入穴１３２，１４１に挿入して支持体保管部１３３，１４２に載置させることができるため、非使用時の端数棒金支持体１０１を支持体保管部１３３，１４２に保管することができる。よって、端数棒金支持体１０１の紛失等を抑制することができる。
【００９５】
また、各下部係合部７１に係合された棒金Ｂの有無および金種を各下部係合部７１に埋設された棒金検出センサ７２で個別に検出することができる。よって、現金管理装置１０内に収納された棒金Ｂの金種別の収納数を計数して管理することができる。
【００９６】
また、３本収納領域６１および２本収納領域６２の各棒金配列方向の両外側に配置される一対の側壁部４７が、３本収納領域６１と２本収納領域６２との間位置に、互いの間隔が棒金Ｂの直径の２倍よりも短い一対の規制部５３を有しているため、２本収納領域６２に２本の棒金Ｂを収納する状態とすれば、３本収納領域６１に端数棒金支持体１０１がなくても、２本収納領域６２の２本の棒金Ｂは倒れが規制されて立位状態に維持される。よって、１カ所の棒金収納凹部４１にて２本のみの棒金Ｂを立位状態に維持できる。
【００９７】
また、３本収納領域６１の２本収納領域６２とは反対側に配置される長壁部４５と、２本収納領域６２の３本収納領域６１とは反対側に配置される短壁部４６との間隔が、棒金Ｂの直径の２倍よりも短いため、２本収納領域６２に２本の棒金Ｂを収納する状態とすれば、１本または２本の棒金Ｂを３本収納領域６１のいずれの１本収納領域６０に収納しても、１本または２本の棒金Ｂは、３本収納領域６１の残りの１本収納領域６０に棒金Ｂや端数棒金支持体１０１がなくても、２本収納領域６２の２本の棒金と長壁部４５とで倒れが規制されて立位状態に維持される。つまり、一対の規制部５３は、３本収納領域６１内での棒金Ｂの移動を長壁部４５とで許容することになるが、２本収納領域６２に２本の棒金Ｂを収納すると、長壁部４５が、３本収納領域６１の中央の１本収納領域６０に収納されている１本の棒金Ｂの３本収納領域６１の両端の１本収納領域６０への移動つまり倒れを２本収納領域６２の２本の棒金Ｂとで規制する。言い換えれば、２本収納領域６２に２本の棒金Ｂを収納すると、長壁部４５が、３本収納領域６１のいずれか端側の１本収納領域６０に収納されている１本の棒金Ｂの３本収納領域６１の中央の１本収納領域６０への移動つまり倒れを、２本収納領域６２の２本の棒金Ｂとで規制する。よって、１カ所の棒金収納凹部４１にて３本のみの棒金Ｂを立位状態に維持できることになり、４本のみの棒金Ｂも立位状態に維持できることになる。
【００９８】
また、上記の寸法関係により、３本収納領域６１に端数棒金支持体１０１がなくても、３本収納領域６１に３本の棒金Ｂを収納し、２本収納領域６２のいずれかの１本収納領域６０に１本の棒金Ｂを収納すると、２本収納領域６２の残りの１本収納領域６０に棒金Ｂがなくても、これらの棒金Ｂは、一対の規制部５３、長壁部４５および短壁部４６で倒れが規制されて立位状態に維持される。よって、１カ所の棒金収納凹部４１にて４本のみの棒金Ｂを立位状態に維持できることになる。
【００９９】
したがって、１カ所に棒金Ｂを立位状態で５本収納可能な棒金収納凹部４１に、端数棒金支持体１０１がなくても、２本のみの棒金Ｂを立位状態に維持しつつ収納でき、３本のみの棒金Ｂを立位状態に維持しつつ収納でき、４本のみの棒金Ｂを立位状態に維持しつつ収納できる。
【０１００】
ここで、上記実施形態を以下のように変更することも可能である。
【０１０１】
図１４に示すように、１円棒金、５円棒金、１０円棒金、５０円棒金および１００円棒金の各収納用の端数棒金支持体１０１に、傾斜部１０３の上端位置から当接面１０２ａ側に延出する延出片部１５１と、延出片部１５１の先端から下方に延出する係止片部１５２とを有する鉤型の側壁係合部１５３を一体に設ける。そして、図１５に示すように、１円棒金、５円棒金、１０円棒金、５０円棒金および１００円棒金の各収納用の棒金収納凹部４１の長壁部４５の上部に、対応金種の端数棒金支持体１０１の側壁係合部１５３に係合する凹状の係合座部１５５を設ける。端数棒金支持体１０１は、係合凹部１１５を３本収納領域６１の中央の下部係合部７１に係合させ、当接面１０２ａを平壁面４５ａに当接させた状態で対応金種の棒金収納凹部４１に装着されることになるが、その際に、側壁係合部１５３が係合座部１５５に係合する。１円棒金、５円棒金、１０円棒金、５０円棒金および１００円棒金の各収納用の棒金収納凹部４１では、壁部４２が基板部４０よりも上方に突出しており、係合座部１５５は、壁部４２の突出部分に一対の座部形成部材１５６を接合して形成される。
【０１０２】
１円棒金、５円棒金、１０円棒金、５０円棒金および１００円棒金の各収納用の棒金収納凹部４１の係合座部１５５は、一対の座部形成部材１５６間の長壁部４５で形成される係止部１５７と、一対の座部形成部材１５６とで構成されている。係止部１５７と一対の座部形成部材１５６とが、対応金種の端数棒金支持体１０１の係止片部１５２を係止することで、この端数棒金支持体１０１の側壁係合部１５３の左右方向および後方への移動を規制する。端数棒金支持体１０１は、このようにして、３本収納領域６１の中央の下部係合部７１に係合した状態で、側壁係合部１５３が壁部４２の係合座部１５５に係合するため、端数棒金支持体１０１の下部係合部７１への係合姿勢が安定する。これにより、棒金収納庫１２（Ｃ）の装置本体１１に対する引き出しおよび押し込み時の振動や、現金管理装置１０の移動時の振動等に対しても、端数棒金支持体１０１が外れて倒れたりすることを抑制できる。
【０１０３】
ここで、５００円棒金の各収納用の棒金収納凹部４１には、基板部４０よりも上方に突出する壁部４２がない。そのため、１円棒金、５円棒金、１０円棒金、５０円棒金および１００円棒金の各収納用の棒金収納凹部４１に設けた凹状の係合座部１５５を形成するべく、５００円棒金収納用の棒金収納凹部４１の壁部４２の上部に、５００円棒金収納用の端数棒金支持体１０１の鉤型の側壁係合部１５３に係合する平面視で凹状の係合座部１５５を設ける。すなわち、略直方体状の一体物であって、その中央部に平面視で凹状となる係止部１５７を形成した座部形成部材１５６を、その係止部１５７が棒金収納凹部４１側とは反対側となるように、また、その係止部１５７が形成されない面が棒金収納凹部４１の壁部４２と面一となるように、基板部４０の上面に設ける。５００円棒金収納用の端数棒金支持体１０１は、係合凹部１１５を３本収納領域６１の中央の下部係合部７１に係合させ、当接面１０２ａを平壁面４５ａに当接させた状態で対応金種の棒金収納凹部４１に装着されることになるが、その際に、鉤型の側壁係合部１５３が座部形成部材１５６の係止部１５７で形成した係合座部１５５に係合する。
【０１０４】
上記したように、５００円棒金収納用の棒金収納凹部４１の係合座部１５５は、略直方体状の一体物であって、その中央部に平面視で凹状となる係止部１５７を形成した座部形成部材１５６で構成されている。この座部形成部材１５６が、５００円棒金収納用の端数棒金支持体１０１の側壁係合部１５３の左右方向の移動を規制する。
【０１０５】
係合座部１５５の幅（一対の座部形成部材１５６間の距離、または凹状の係止部１５７を有する座部形成部材１５６の係止部１５７の長さ）と側壁係合部１５３の幅とを金種毎に異ならせることで、適正に係合するか否かによって、誤装着を抑制することができる。例えば、１円棒金、１０円棒金および５００円棒金の各収納用の端数棒金支持体１０１の側壁係合部１５３の幅を１０ｍｍ、１００円棒金収納用の端数棒金支持体１０１の側壁係合部１５３の幅を９ｍｍ、５円棒金および５０円棒金の各収納用の端数棒金支持体１０１の側壁係合部１５３の幅を９．５ｍｍとする。そして、各端数棒金支持体１０１の係合座部１５５の幅を対応金種の端数棒金支持体１０１の側壁係合部１５３が係合可能であり、対応金種よりも幅の広い端数棒金支持体１０１の側壁係合部１５３の係合が困難な幅とする。
【０１０６】
側壁係合部１５３の幅と係合座部１５５の幅との関係を加えることで、全金種の端数棒金支持体１０１のそれぞれの他の金種収納用の棒金収納凹部４１への装着は、例えば以下のようになって、誤装着を知らせる。
【０１０７】
１円棒金収納用の端数棒金支持体１０１の１０円棒金収納用の棒金収納凹部４１への装着時には、側壁係合部１５３が係合座部１５５に係合するものの、係合凹部１１５が下部係合部７１へ係合できず、収納庫１２の引き出しおよび押し込み時に上側の収納庫１２に僅かながら当たり、１０円棒金が棒金収納凹部４１へ収納できるものの倒れることになる。
【０１０８】
１円棒金収納用の端数棒金支持体１０１の１００円棒金収納用の棒金収納凹部４１への装着時には、側壁係合部１５３が係合座部１５５に係合せず、このため係合凹部１１５が下部係合部７１に対し浮き、収納庫１２の引き出しおよび押し込み時に上側の収納庫１２に当たり、１００円棒金が棒金収納凹部４１へ収納できるものの倒れることになる。
【０１０９】
１円棒金収納用の端数棒金支持体１０１の５円棒金収納用の棒金収納凹部４１への装着時には、側壁係合部１５３が係合座部１５５に係合せず、このため係合凹部１１５が下部係合部７１に対し浮き、収納庫１２の引き出しおよび押し込み時に上側の収納庫１２に当たり、５円棒金が棒金収納凹部４１へ収納できるものの倒れることになる。
【０１１０】
１円棒金収納用の端数棒金支持体１０１の５０円棒金収納用の棒金収納凹部４１への装着時には、５０円棒金を棒金収納凹部４１へ倒さず収納できるものの、側壁係合部１５３が係合座部１５５に係合せず、このため係合凹部１１５が下部係合部７１に対し浮き、収納庫１２の引き出しおよび押し込み時に上側の収納庫１２に僅かながら当たることになる。
【０１１１】
１円棒金収納用の端数棒金支持体１０１の５００円棒金収納用の棒金収納凹部４１への装着時には、高さの関係で側壁係合部１５３が係合座部１５５に係合できない。
【０１１２】
１０円棒金収納用の端数棒金支持体１０１の１円棒金収納用の棒金収納凹部４１への装着時には、側壁係合部１５３が係合座部１５５に係合するものの、係合凹部１１５が下部係合部７１へ係合せず、収納庫１２の引き出しおよび押し込み時に上側の収納庫１２に僅かながら当たり、１円棒金が棒金収納凹部４１へ収納できない。
【０１１３】
１０円棒金収納用の端数棒金支持体１０１の１００円棒金収納用の棒金収納凹部４１への装着時には、側壁係合部１５３が係合座部１５５に係合せず、このため係合凹部１１５が下部係合部７１に対し浮き、収納庫１２の引き出しおよび押し込み時に上側の収納庫１２に当たり、１００円棒金が棒金収納凹部４１へぎりぎり収納できない。
【０１１４】
１０円棒金収納用の端数棒金支持体１０１の５円棒金収納用の棒金収納凹部４１への装着時には、側壁係合部１５３が係合座部１５５に係合せず、このため係合凹部１１５が下部係合部７１に対し浮き、収納庫１２の引き出しおよび押し込み時に上側の収納庫１２に当たり、５円棒金が棒金収納凹部４１へ収納できない。
【０１１５】
１０円棒金収納用の端数棒金支持体１０１の５０円棒金収納用の棒金収納凹部４１への装着時には、側壁係合部１５３が係合座部１５５に係合せず、このため係合凹部１１５が下部係合部７１に対し浮き、収納庫１２の引き出しおよび押し込み時に上側の収納庫１２に僅かながら当たり、５０円棒金が棒金収納凹部４１へ収納できない状態になる。
【０１１６】
１０円棒金収納用の端数棒金支持体１０１の５００円棒金収納用の棒金収納凹部４１への装着時には、高さの関係で側壁係合部１５３が係合座部１５５に係合できない。
【０１１７】
１００円棒金収納用の端数棒金支持体１０１の１円棒金収納用の棒金収納凹部４１への装着時には、係合凹部１１５が下部係合部７１へ係合せず、このため側壁係合部１５３が係合座部１５５に係合せず、収納庫１２の引き出しおよび押し込み時に上側の収納庫１２に当たり、１円棒金が棒金収納凹部４１へ収納できない。
【０１１８】
１００円棒金収納用の端数棒金支持体１０１の１０円棒金収納用の棒金収納凹部４１への装着時には、１０円棒金が棒金収納凹部４１へ倒れずに収納できるものの、係合凹部１１５が下部係合部７１へ係合せず、このため側壁係合部１５３が係合座部１５５に係合せず、収納庫１２の引き出しおよび押し込み時に上側の収納庫１２に当たる。
【０１１９】
１００円棒金収納用の端数棒金支持体１０１の５円棒金収納用の棒金収納凹部４１への装着時には、５円棒金が棒金収納凹部４１へ倒れず収納でき、係合凹部１１５が下部係合部７１へぎりぎり係合するものの、側壁係合部１５３が係合座部１５５に少し係合する程度となり、収納庫１２の引き出しおよび押し込み時に上側の収納庫１２に当たる。
【０１２０】
１００円棒金収納用の端数棒金支持体１０１の５０円棒金収納用の棒金収納凹部４１への装着時には、側壁係合部１５３が係合座部１５５に係合し、収納庫１２の引き出しおよび押し込み時に上側の収納庫１２に当たらないものの、係合凹部１１５が下部係合部７１に係合せず、５０円棒金が棒金収納凹部４１へ収納困難になる。
【０１２１】
１００円棒金収納用の端数棒金支持体１０１の５００円棒金収納用の棒金収納凹部４１への装着時には、高さの関係から側壁係合部１５３が係合座部１５５に係合できない。
【０１２２】
５円棒金収納用の端数棒金支持体１０１の１円棒金収納用の棒金収納凹部４１への装着時には、側壁係合部１５３が係合座部１５５に係合するものの、係合凹部１１５が下部係合部７１へ係合せず、収納庫１２の引き出しおよび押し込み時に上側の収納庫１２に僅かながら当たり、１円棒金は棒金収納凹部４１へ収納できない。
【０１２３】
５円棒金収納用の端数棒金支持体１０１の１０円棒金収納用の棒金収納凹部４１への装着時には、側壁係合部１５３が係合座部１５５に係合し、１０円棒金を棒金収納凹部４１へ倒さず収納できるものの、係合凹部１１５が下部係合部７１へ係合せず、収納庫１２の引き出しおよび押し込み時に上側の収納庫１２に僅かながら当たる。
【０１２４】
５円棒金収納用の端数棒金支持体１０１の１００円棒金収納用の棒金収納凹部４１への装着時には、１００円棒金を棒金収納凹部４１へ倒さず収納できるものの、側壁係合部１５３が係合座部１５５に係合せず、このため係合凹部１１５が下部係合部７１に対し浮き、収納庫１２の引き出しおよび押し込み時に上側の収納庫１２に当たる。
【０１２５】
５円棒金収納用の端数棒金支持体１０１の５０円棒金収納用の棒金収納凹部４１への装着時には、側壁係合部１５３が係合座部１５５に係合し、収納庫１２の引き出しおよび押し込み時に上側の収納庫１２に当たらないものの、係合凹部１１５が下部係合部７１に対し浮き、５０円棒金が棒金収納凹部４１へ収納困難になる。
【０１２６】
５円棒金収納用の端数棒金支持体１０１の５００円棒金収納用の棒金収納凹部４１への装着時には、高さの関係から側壁係合部１５３が係合座部１５５に係合できない。
【０１２７】
５０円棒金収納用の端数棒金支持体１０１の１円棒金収納用の棒金収納凹部４１への装着時には、係合凹部１１５が下部係合部７１へ係合せず、このため側壁係合部１５３が係合座部１５５に係合せず、収納庫１２の引き出しおよび押し込み時に上側の収納庫１２に当たり、１円棒金は棒金収納凹部４１へ収納できない。
【０１２８】
５０円棒金収納用の端数棒金支持体１０１の１０円棒金収納用の棒金収納凹部４１への装着時には、係合凹部１１５が下部係合部７１へ係合せず、このため側壁係合部１５３が係合座部１５５に係合せず、収納庫１２の引き出しおよび押し込み時に上側の収納庫１２に当たり、１０円棒金が棒金収納凹部４１へ収納できるものの倒れる。
【０１２９】
５０円棒金収納用の端数棒金支持体１０１の１００円棒金収納用の棒金収納凹部４１への装着時には、係合凹部１１５が下部係合部７１に係合せず、このため側壁係合部１５３が係合座部１５５に係合せず、収納庫１２の引き出しおよび押し込み時に上側の収納庫１２に当たり、１００円棒金が棒金収納凹部４１へ収納できるものの倒れる。
【０１３０】
５０円棒金収納用の端数棒金支持体１０１の５円棒金収納用の棒金収納凹部４１への装着時には、係合凹部１１５が下部係合部７１に係合せず、このため側壁係合部１５３が係合座部１５５に係合せず、収納庫１２の引き出しおよび押し込み時に上側の収納庫１２に当たり、５円棒金が棒金収納凹部４１へ収納できるものの倒れる。
【０１３１】
５０円棒金収納用の端数棒金支持体１０１の５００円棒金収納用の棒金収納凹部４１への装着時には、高さの関係から側壁係合部１５３が係合座部１５５に係合できない。
【０１３２】
１円棒金、５円棒金、１０円棒金、５０円棒金および１００円棒金の各収納用の棒金収納凹部４１への５００円棒金収納用の端数棒金支持体１０１の装着時には、いずれに対しても、サイズが大きく、収納庫１２の引き出しおよび押し込み時に上側の収納庫１２に当たる。
【０１３３】
図１７に示すように、棒金収納凹部４１Ｚが、１カ所に棒金Ｂを１０本収納可能な場合にも適用可能である。この棒金収納凹部４１Ｚの壁部４２Ｚは、一対の長壁部４５Ｚ（第２側壁部）と、二対の湾曲側壁部５１Ｚ（第１側壁部）と、一対の湾曲側壁部１６１とを有し、湾曲側壁部５１Ｚと湾曲側壁部１６１との全境界位置に規制部５３Ｚがそれぞれ設けられている。棒金収納凹部４１Ｚは、一対の３本収納領域６１Ｚとその間の４本収納領域１６２とを有している。
【０１３４】
一方の長壁部４５Ｚに連続する一方の一対の湾曲側壁部５１Ｚが形成する一方の一対の規制部５３Ｚは、前記一方の長壁部４５Ｚおよび前記一方の一対の湾曲側壁部５１Ｚで形成される一方の３本収納領域６１Ｚの中央の下部係合部７１に係合した端数棒金支持体１０１とで、前記一方の３本収納領域６１Ｚの棒金配列方向両側の各１本収納領域６０Ｚに立位状態に設けられた棒金Ｂを支持してその前記一方の長壁部４５Ｚとは反対方向への倒れを規制する。同様に、他方の長壁部４５Ｚに連続する他方の一対の湾曲側壁部５１Ｚが形成する他方の一対の規制部５３Ｚは、前記他方の長壁部４５Ｚおよび前記他方の一対の湾曲側壁部５１Ｚで形成される他方の３本収納領域６１Ｚの中央の下部係合部７１に係合した端数棒金支持体１０１とで、前記他方の３本収納領域６１Ｚの棒金配列方向両側の各１本収納領域６０Ｚに立位状態に設けられた棒金Ｂを支持してその前記他方の長壁部４５Ｚとは反対方向への倒れを規制する。
【０１３５】
棒金収納凹部４１Ｚに端数の棒金Ｂを収納する場合、例えば、図１７に示すように、対応金種の端数棒金支持体１０１を２つ使用し、一方の３本収納領域６１Ｚの中央の下部係合部７１に係合させ、他方の３本収納領域６１Ｚの中央の下部係合部７１に係合させる。これにより、１本の棒金Ｂを、３本収納領域６１Ｚの１本収納領域６０に収納すると、この棒金Ｂを立位状態に維持できることになり、一対の３本収納領域６１Ｚのすべての１本収納領域６０Ｚが棒金Ｂを立位状態に維持できることになる。また、棒金Ｂを４本収納領域１６２に収納する際に、すでに３本収納領域６１Ｚに収納されている棒金Ｂに隣り合い且つ４本収納領域１６２の棒金配列方向端部にある１本収納領域６０に収納すれば、この棒金Ｂを立位状態に維持することができる。この状態にあれば、これらの棒金Ｂに隣り合う４本収納領域１６２の棒金配列方向中間部にある１本収納領域６０に棒金Ｂを収納すれば、この棒金Ｂを立位状態に維持することができる。この場合も、端数棒金支持体１０１に図１４〜図１６に示す側壁係合部１５３を設け、棒金収納凹部４１Ｚの両側の長壁部４５Ｚに図１５，図１６に示す係合座部１５５を設けて、端数棒金支持体１０１を長壁部４５Ｚに係合させるようにしても良い。
【０１３６】
実施形態の第１の態様は、壁部と底部とを有して下方に凹む上方開口形状をなし、棒金を立位状態で１カ所に複数本収納可能であって、前記底部の各１本収納領域の底位置に棒金の下端加締部の内側に入り込む凸状の下部係合部が設けられた棒金収納凹部と、係合凹部が設けられ該係合凹部に前記下部係合部を入り込ませて当該下部係合部が設けられた１本収納領域に配置されて、他の１本収納領域に設けられた棒金の倒れを規制する端数棒金支持体と、を備えることを特徴とする。
【０１３７】
上記第１の態様によれば、棒金収納凹部の１本収納領域の底位置に設けられた凸状の下部係合部を、係合凹部の内側に入り込ませて当該下部係合部が設けられた１本収納領域に端数棒金支持体を配置すると、端数棒金支持体は、他の１本収納領域に立位状態に設けられた棒金を支持しその倒れを規制することになる。これにより、棒金収納凹部に満杯に棒金を収納していなくても、棒金の代わりに端数棒金支持体を配置することで、棒金を立位状態に維持しつつ収納することが可能になる。したがって、同じ棒金収納凹部を満杯収納用と端数収納用とで共用化できるため、コストを低減することができる。また、同じ棒金収納凹部を満杯収納用と端数収納用とで共用化することができるため、例えば複数の棒金収納凹部を設けた場合に、これらの中から任意で満杯収納用と端数収納用とを設定することができる。したがって、使い勝手性が向上する。また、棒金収納凹部の底部には、各１本収納領域の底位置に棒金の下端加締部の内側に入り込む凸状の下部係合部が設けられており、下部係合部を入り込ませる係合凹部が端数棒金支持体にも設けられているため、棒金および端数棒金支持体を各１本収納領域に位置決めしつつ配置することができる。したがって、棒金および端数棒金支持体を１つずつ適正位置に配置することができる。また、下部係合部が棒金の下端加締部の内側や端数棒金支持体の係合凹部の内側に入り込むことで、収納状態にある棒金や端数棒金支持体のガタツキを抑制することができる。
【０１３８】
実施形態の第２の態様は、上記第１の態様において、前記棒金収納凹部は、棒金を１列に並べて３本収納する３本収納領域を有しており、前記壁部は、前記３本収納領域の棒金配列方向の両外側を形成する一対の第１側壁部と、前記３本収納領域の棒金配列方向に直交する方向の外側を形成する第２側壁部とを有していて、前記端数棒金支持体は、前記３本収納領域の前記下部係合部のうち、棒金配列方向中央の中央係合部に係合可能であり、前記一対の第１側壁部には、前記第２側壁部とは反対側に、前記中央係合部に係合した前記端数棒金支持体とで、前記３本収納領域の棒金配列方向両側の各１本収納領域に立位状態に設けられた棒金の前記第２側壁部とは反対方向への倒れを規制する一対の規制部が設けられていることを特徴とする。
【０１３９】
上記第２の態様によれば、一対の第１側壁部で棒金配列方向の両外側が形成され、第２側壁部で棒金配列方向に直交する方向の外側が形成された３本収納領域の棒金配列方向中央の中央係合部に端数棒金支持体を係合させると、一対の第１側壁部に設けられた一対の規制部が、端数棒金支持体とで３本収納領域の棒金配列方向両側の各１本収納領域に立位状態に設けられた棒金を支持しその第２側壁部とは反対方向への倒れを規制する。これにより、３本収納領域へ１本のみの棒金および２本のみの棒金を立位状態に維持しつつ収納することができる。
【０１４０】
実施形態の第３の態様は、上記第２の態様において、前記第２側壁部は平坦な平壁面を備え、前記端数棒金支持体は、前記中央係合部に係合した状態で前記平壁面に当接する当接面を備えていることを特徴とする。
【０１４１】
上記第３の態様によれば、端数棒金支持体は、中央係合部に係合した状態で、当接面が、第２側壁部の平坦な平壁面に当接するため、端数棒金支持体の中央係合部への係合姿勢が安定する。
【０１４２】
実施形態の第４の態様は、上記第２または第３の態様において、前記端数棒金支持体は、前記中央係合部に係合した状態で、前記第２側壁部に係合する側壁係合部を有することを特徴とする。
【０１４３】
上記第４の態様によれば、端数棒金支持体は、中央係合部に係合した状態で、側壁係合部が第２側壁部に係合するため、端数棒金支持体の中央係合部への係合姿勢が安定する。
【０１４４】
実施形態の第５の態様は、上記第２乃至第４のいずれか一態様において、前記棒金収納凹部は、前記３本収納領域の前記第２側壁部とは反対側に、前記３本収納領域と平行であって棒金を２本並べて収納する２本収納領域を有し、前記壁部は、前記２本収納領域の棒金配列方向の両外側を形成する一対の第３側壁部と、前記２本収納領域の棒金配列方向に直交する方向の外側を形成する第４側壁部とを有しており、前記一対の規制部は、前記中央係合部に係合した前記端数棒金支持体とで前記２本収納領域の各１本収納領域に設けられた棒金の前記３本収納領域側への倒れを規制することを特徴とする。
【０１４５】
上記第５の態様によれば、一対の規制部が、端数棒金支持体とで３本収納領域の棒金配列方向両側の各１本収納領域に立位状態に設けられた棒金の第２側壁部とは反対方向への倒れを規制すると共に、２本収納領域の各１本収納領域に立位状態に設けられた棒金の前記３本収納領域側への倒れを規制する。また、２本収納領域の各１本収納領域に立位状態に設けられた棒金の他方の１本収納領域側への倒れは、端数棒金支持体がこれを規制する。これにより、３本収納領域および２本収納領域に、１本〜４本の棒金を立位状態に維持しつつ収納することができる。
【０１４６】
実施形態の第６の態様は、上記第５の態様において、前記一対の第１側壁部は、前記３本収納領域の棒金配列方向の両外側に該３本収納領域に臨んで設けられて該３本収納領域内に中心を配して湾曲する一対の第１壁面を有し、前記第２側壁部は、前記３本収納領域に臨んで設けられる平坦な第２壁面を有し、前記一対の第３側壁部は、前記２本収納領域の棒金配列方向の両外側に該２本収納領域に臨んで設けられて該２本収納領域内に中心を配して湾曲する一対の第３壁面を有し、前記第４側壁部は、前記２本収納領域に臨んで設けられる平坦な第４壁面を有することを特徴とする。
【０１４７】
上記第６の態様によれば、一対の第１側壁部が、３本収納領域の棒金配列方向の両外側に該３本収納領域に臨んで設けられて該３本収納領域内に中心を配して湾曲する一対の第１壁面を有し、一対の第３側壁部が、２本収納領域の棒金配列方向の両外側に該２本収納領域に臨んで設けられて該２本収納領域内に中心を配して湾曲する一対の第３壁面を有している。このため、これら一対の第１壁面および一対の第３壁面で四隅の棒金を案内することができる。よって、５本の棒金を纏めて棒金収納凹部に挿入する際に、正確に挿入することが可能となる。
【０１４８】
実施形態の第７の態様は、上記第５または第６の態様において、装置本体と、前記棒金収納凹部を有して前記装置本体に引き出し可能に設けられる収納庫と、を備え、前記棒金収納凹部は、前記２本収納領域および前記３本収納領域のそれぞれの棒金配列方向を前記引き出しの方向に直交させていることを特徴とする。
【０１４９】
上記第７の態様によれば、棒金収納凹部は、２本収納領域および３本収納領域の棒金配列方向を、収納庫の引き出しの方向に対し直交させている。このため、不慣れな係員でも、５本の棒金を両手で纏めて掴んで棒金収納凹部に挿入する際に戸惑うことなく円滑に挿入可能となる。
【０１５０】
実施形態の第８の態様は、上記第７の態様において、前記棒金収納凹部は、前記引き出しの方向の奥側に前記２本収納領域が、手前側に前記３本収納領域が配置されていることを特徴とする。
【０１５１】
上記第８の態様によれば、棒金収納凹部は、収納庫の引き出しの方向の奥側に２本収納領域が、手前側に３本収納領域が配置されているため、５本の棒金からなる棒金群を、両手で棒金収納凹部に合わせた形状にしつつ掴む際に掴み易く、よって、５本の棒金を両手で掴んで棒金収納凹部に対し出し入れする作業がさらに容易化可能となる。
【０１５２】
実施形態の第９の態様は、上記第１乃至第８のいずれか一態様において、前記端数棒金支持体は、前記係合凹部が設けられた胴部と、該胴部の前記係合凹部とは反対側に設けられ前記胴部から離れるほど窄まる形状の傾斜部と、該傾斜部の前記胴部とは反対側に設けられ前記胴部よりも細い棒状部とを有することを特徴とする。
【０１５３】
上記第９の態様によれば、端数棒金支持体に棒状部が設けられているため、端数棒金支持体が掴み易くなり、棒金収納凹部への装着および棒金収納凹部からの取り外し作業が容易となる。端数棒金支持体が装着された状態での棒金収納凹部への棒金の収納時には、端数棒金支持体の傾斜部が棒金を横の１本収納領域に案内することになり、収納作業が容易となる。
【０１５４】
実施形態の第１０の態様は、上記第９の態様において、前記棒状部が挿入される挿入穴を有して前記端数棒金支持体が載置される支持体保管部が、設けられていることを特徴とする。
【０１５５】
上記第１０の態様によれば、端数棒金支持体を棒状部を挿入穴に挿入して支持体保管部に載置させることができるため、非使用時の端数棒金支持体を支持体保管部に保管することができる。よって、端数棒金支持体の紛失等を抑制することができる。
【０１５６】
実施形態の第１１の態様は、上記第１乃至第１０のいずれか一態様において、前記下部係合部には、係合する棒金を検出する棒金検出センサが設けられていることを特徴とする。
【０１５７】
上記第１１の態様によれば、係合部に係合された棒金を棒金検出センサで検出することができる。よって、棒金の収納数を計数することができる。
【０１５８】
実施形態の第１２の態様は、上記第１乃至第１１のいずれか一態様に用いられる前記端数棒金支持体である。
【符号の説明】
【０１５９】
１０  現金管理装置
１１  装置本体
１２  収納庫
１２（Ｃ）  棒金棒金収納庫
４１，４１Ｚ  棒金収納凹部
４２，４２Ｚ  壁部
４３  底部
４５，４５Ｚ  長壁部（第２側壁部）
４５ａ  平壁面（第２壁面）
４６  短壁部（第４側壁部）
４６ａ  平壁面（第４壁面）
５１，５１Ｚ  湾曲側壁部（第１側壁部）
５１ａ  湾曲壁面（第１壁面）
５２  湾曲側壁部（第３側壁部）
５２ａ  湾曲壁面（第３壁面）
５３，５３Ｚ  規制部
６０，６０Ｚ  １本収納領域
６１，６１Ｚ  ３本収納領域
６２  ２本収納領域
７１  下部係合部
７２  棒金検出センサ
１０１  端数棒金支持体
１０２  胴部
１０２ａ  当接面
１０３  傾斜部
１０４  棒状部
１１５  係合凹部
１３２，１４１  挿入穴
１３３，１４２  支持体保管部
１５３  側壁係合部
Ｂ  棒金
Ｋ  加締部
【図１】
2020064694.tif 000003
【図２】
2020064694.tif 000004
【図３】
2020064694.tif 000005
【図４】
2020064694.tif 000006
【図５】
2020064694.tif 000007
【図６】
2020064694.tif 000008
【図７】
2020064694.tif 000009
【図８】
2020064694.tif 000010
【図９】
2020064694.tif 000011
【図１０】
2020064694.tif 000012
【図１１】
2020064694.tif 000013
【図１２】
2020064694.tif 000014
【図１３】
2020064694.tif 000015
【図１４】
2020064694.tif 000016
【図１５】
2020064694.tif 000017
【図１６】
2020064694.tif 000018
【図１７】
2020064694.tif 000019